(57)【要約】【課題】番組を視聴することができる地域でのみ、記録した番組のデータの補完をすることができる携帯端末、放送記録方法、データサーバ及びプログラムを提供する。【解決手段】テレビ放送受信部１０２は、テレビ番組を受信する。制御部１０９は、受信したテレビ番組のビデオデータをビデオデータ記憶部１０８１に記録する。ＧＰＳ受信機１１０は、自位置を示す位置情報を取得する。制御部１０９は、取得した位置情報によって特定される位置がテレビ番組を視聴することができる地域に属する場合、テレビ番組のビデオデータをデータサーバから取得して記録したテレビ番組のビデオデータを補完し、取得した位置情報によって特定される位置がテレビ番組を視聴することができる地域に属さない場合、記録したテレビ番組のビデオデータを補完しない。【選択図】図２
2012205222.tif 000002
【特許請求の範囲】
【請求項１】
データを記憶するデータ記憶部と、
放送された番組のデータを受信する受信部と、
前記受信した番組のデータを前記データ記憶部に記録する記録部と、
自位置を示す位置情報を取得する位置情報取得部と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完部と、
を備えることを特徴とする携帯端末。
【請求項２】
前記補完部は、
前記放送された番組のデータを受信する際の電波強度が第１の閾値以下となった場合、前記電波強度が第１の閾値以下となった期間の前記番組のデータを前記サーバから取得して前記記録した前記番組のデータを補完する、
ことを特徴とする請求項１に記載の携帯端末。
【請求項３】
前記補完部は、
前記放送された番組のデータを受信する際の電波強度が第１の閾値以下となった期間が第２の閾値以上の場合、前記電波強度が第１の閾値以下となった期間の前記番組のデータを前記サーバから取得して前記記録した前記番組のデータを補完する、
ことを特徴とする請求項１に記載の携帯端末。
【請求項４】
前記放送された番組のデータを受信する際の電波強度が第１の閾値以下となった場合、前記放送された番組のデータを受信して記録する旨を前記サーバに指示する指示部、
を備えることを特徴とする請求項１乃至３のいずれか１項に記載の携帯端末。
【請求項５】
前記指示部は、
前記放送された番組のデータを受信する際の電波強度が第１の閾値以下となった期間が第３の閾値以上の場合、前記放送された番組のデータを受信して記録する旨を前記サーバに指示する、
ことを特徴とする請求項４に記載の携帯端末。
【請求項６】
前記番組を視聴することができる地域を示す視聴地域情報を記憶する視聴地域情報記憶部、をさらに備え、
前記補完部は、
前記取得した位置情報によって特定される位置が前記視聴地域情報によって特定される地域に属する場合、前記番組のデータを前記サーバから取得して前記記録した前記番組のデータを補完し、前記取得した位置情報によって特定される位置が前記視聴地域情報によって特定される地域に属さない場合、前記記録した前記番組のデータを補完しない、
ことを特徴とする請求項１乃至５のいずれか１項に記載の携帯端末。
【請求項７】
前記番組を放送する放送局の位置を示す放送局位置情報を記憶する放送局位置情報記憶部、をさらに備え、
前記補完部は、
前記取得した位置情報によって特定される位置と前記放送局位置情報によって特定される放送局の位置との距離が第４の閾値以内である場合、前記番組のデータを前記サーバから取得して前記記録した前記番組のデータを補完し、前記取得した位置情報によって特定される位置と前記放送局位置情報によって特定される放送局の位置との距離が第４の閾値を超える場合、前記記録した前記番組のデータを補完しない、
ことを特徴とする請求項１乃至５のいずれか１項に記載の携帯端末。
【請求項８】
放送された番組のデータを受信する受信工程と、
前記受信した番組のデータをデータ記憶部に記録する記録工程と、
自位置を示す位置情報を取得する位置情報取得工程と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完工程と、
を備えることを特徴とする放送記録方法。
【請求項９】
番組のデータを記憶するデータ記憶部と、
携帯端末の位置を示す位置情報と、前記番組のデータを識別する識別情報と、を取得する情報取得部と、
前記取得した位置情報によって特定される位置が前記番組を視聴することができる地域に属するか否かを判別する判別部と、
前記取得した位置情報によって特定される位置が前記番組を視聴することができる地域に属すると判別された場合、前記取得した識別情報が付された前記番組のデータを前記データ記憶部から取得して前記携帯端末に送信し、前記取得した位置情報によって特定される位置が前記番組を視聴することができる地域に属さないと判別された場合、前記取得した識別情報が付された前記番組のデータを前記携帯端末に送信しない送信部と、
を備えることを特徴とするデータサーバ。
【請求項１０】
コンピュータに、
放送された番組のデータを受信する受信手順と、
前記受信した番組のデータをデータ記憶部に記録する記録手順と、
自位置を示す位置情報を取得する位置情報取得手順と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完手順と、
を実行させることを特徴とするプログラム。
【発明の詳細な説明】
【技術分野】
【０００１】
本発明は、携帯端末、放送記録方法、データサーバ及びプログラムに関する。
【背景技術】
【０００２】
放送されたテレビ番組を受信して記録可能な携帯電話では、受信状態が悪くなると、テレビ番組の記録が途切れてしまう。
これに関連し、録画装置とサーバとが同一のテレビ番組を記録し、録画装置での記録が途切れたときに、録画装置が記録できなかった部分のデータをサーバから取得してデータを補完する技術が提案されている（例えば、特許文献１を参照）。
【先行技術文献】
【特許文献】
【０００３】
【特許文献１】特開２００３−２５９２６７号公報
【発明の概要】
【発明が解決しようとする課題】
【０００４】
テレビ番組を受信して記録可能な携帯電話に特許文献１に開示された技術を適用した場合、テレビ番組を視聴することができない地域に移動しても、記録できなかった部分のデータをサーバから取得してデータを補完することができるという問題があった。このため、番組を視聴することができる地域でのみ、記録した番組のデータの補完をすることができる携帯電話が望まれていた。
【０００５】
本発明は、上記実情に鑑みてなされたものであり、番組を視聴することができる地域でのみ、記録した番組のデータの補完をすることができる携帯端末、放送記録方法、データサーバ及びプログラムを提供することを目的とする。
【課題を解決するための手段】
【０００６】
上記目的を達成するため、本発明の第１の観点に係る携帯端末は、
データを記憶するデータ記憶部と、
放送された番組のデータを受信する受信部と、
前記受信した番組のデータを前記データ記憶部に記録する記録部と、
自位置を示す位置情報を取得する位置情報取得部と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完部と、
を備えることを特徴とする。
【０００７】
上記目的を達成するため、本発明の第２の観点に係る放送記録方法は、
放送された番組のデータを受信する受信工程と、
前記受信した番組のデータをデータ記憶部に記録する記録工程と、
自位置を示す位置情報を取得する位置情報取得工程と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完工程と、
を備えることを特徴とする。
【０００８】
上記目的を達成するため、本発明の第３の観点に係るデータサーバは、
番組のデータを記憶するデータ記憶部と、
携帯端末の位置を示す位置情報と、前記番組のデータを識別する識別情報と、を取得する情報取得部と、
前記取得した位置情報によって特定される位置が前記番組を視聴することができる地域に属するか否かを判別する判別部と、
前記取得した位置情報によって特定される位置が前記番組を視聴することができる地域に属すると判別された場合、前記取得した識別情報が付された前記番組のデータを前記データ記憶部から取得して前記携帯端末に送信し、前記取得した位置情報によって特定される位置が前記番組を視聴することができる地域に属さないと判別された場合、前記取得した識別情報が付された前記番組のデータを前記携帯端末に送信しない送信部と、
を備えることを特徴とする。
【０００９】
上記目的を達成するため、本発明の第４の観点に係るプログラムは、
コンピュータに、
放送された番組のデータを受信する受信手順と、
前記受信した番組のデータをデータ記憶部に記録する記録手順と、
自位置を示す位置情報を取得する位置情報取得手順と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完手順と、
を実行させることを特徴とする。
【発明の効果】
【００１０】
本発明によれば、番組を視聴することができる地域でのみ、記録した番組のデータの補完をすることができる。
【図面の簡単な説明】
【００１１】
【図１】本発明の実施形態１に係る放送記録システムの構成を示すブロック図である。
【図２】図１に示す携帯電話の構成を示すブロック図である。
【図３】図２に示す受信不良ＤＢの構成を示す図である。
【図４】図１に示すデータサーバの構成を示すブロック図である。
【図５】（ａ）及び（ｂ）は、それぞれ、図４に示す番組ＤＢ及び視聴地域ＤＢの構成を示す図である。
【図６】図２に示す携帯電話の制御部が実行する補完処理のフローチャートである。
【図７】図６に示すフローチャートに続くフローチャートである。
【図８】図４に示すデータサーバの制御部が実行する補完データ提供処理のフローチャートである。
【図９】受信しているテレビ放送の電波強度を説明するための図である。
【図１０】本発明の実施形態２に係る放送記録システムの構成を示すブロック図である。
【図１１】アドレスＤＢの構成を示す図である。
【図１２】本発明の実施形態２に係る携帯電話の制御部が実行する記録要求処理のフローチャートである。
【発明を実施するための形態】
【００１２】
（実施形態１）
以下、本発明の実施形態に係る放送記録システム１００を、図面を参照して説明する。
【００１３】
本実施形態に係る放送記録システム１００は、図１に示すように、携帯電話１０と、複数の放送局２０（２０１、２０２、・・・、２０ｎ）と、複数の基地局３０（３０１、３０２、・・・、３０ｎ）と、データサーバ４０と、を備えている。携帯電話１０と基地局３０とは無線で通信し、基地局３０とデータサーバ４０とは通信ネットワーク５０を介して有線又は無線で通信する。
携帯電話１０は、通話機能の他、放送局２０から放送されたテレビ番組を受信して記録するという一般的な機能を有する。また、携帯電話１０は、テレビ番組の受信状態が悪くなったときに、受信していたテレビ番組のビデオデータをデータサーバ４０から取得して記録したテレビ番組のビデオデータを補完するという特徴的な機能を有する。
【００１４】
携帯電話１０は、図２に示すように、無線通信部１０１と、テレビ放送受信部１０２と、操作部１０３と、表示部１０４と、コーデック部１０５と、スピーカ１０６と、マイク（マイクロフォン）１０７と、記憶部１０８と、制御部１０９と、ＧＰＳ受信機１１０と、を備えている。
【００１５】
無線通信部１０１は、ＣＤＭＡ（Code Division Multiple Access：符号分割多重接続）方式やＧＳＭ（Global Systems for Mobile communications）方式などの通信方式に適応した通信装置などから構成され、アンテナ１０１ａ及び近傍の基地局３０を介して他の携帯電話１０と無線通信する。
無線通信部１０１は、アンテナ１０１ａを介して受信した音声信号を復調した後、復調した音声信号をコーデック部１０５を介してスピーカ１０６に供給し、音声を出力させる。また、無線通信部１０１は、マイク１０７からコーデック部１０５を介して供給された音声信号を変調した後、変調した音声信号を、アンテナ１０１ａ及び基地局３０を介して他の携帯電話１０に送信する。
【００１６】
テレビ放送受信部１０２は、テレビチューナー、メモリなどから構成され、放送局２０から放送された信号をアンテナ１０１ａを介して受信し、受信した信号を復調、デコードして生成したテレビ番組のビデオデータを制御部１０９を介して表示部１０４に供給する。このとき、テレビ放送受信部１０２は、受信しているテレビ放送の物理チャンネルのチャンネル番号を示す物理チャンネル番号をメモリに記憶し、制御部１０９の要求に応答して、メモリに記憶した物理チャンネル番号を制御部１０９に供給する。
また、テレビ放送受信部１０２は、制御部１０９の要求に応答して、受信しているテレビ放送の電波強度を測定し、測定値を制御部１０９に供給する。
【００１７】
操作部１０３は、ダイヤルボタン等を備え、ユーザの操作に応じた操作信号を制御部１０９に供給する。
【００１８】
表示部１０４は、ＬＣＤ（Liquid Crystal Display）などから構成され、通常の待ち受け画面を表示する他、テレビ放送受信部１０２から供給されたテレビ番組のビデオデータに基づいて、画像を表示する。
【００１９】
コーデック部１０５は、コーデック、ＤＡＣ（Digital to Analog Converter）、ＡＤＣ（Analog to Digital Converter）、アンプなどから構成され、無線通信部１０１から供給されたデジタルの音声信号を復号し、アナログ信号に変換した後、変換したアナログ信号を増幅してスピーカ１０６に供給し、音声を出力させる。
また、コーデック部１０５は、マイク１０７から供給されたアナログの音声信号をデジタルの音声信号に変換し、符号化した後、符号化したデジタル信号を無線通信部１０１に供給する。
【００２０】
スピーカ１０６は、コーデック部１０５から供給されるアナログの音声信号により駆動し、放音する。スピーカ１０６は、イヤホン、ヘッドホン等を含む。
【００２１】
マイク１０７は、ユーザの発する音声などの周囲の音に基づいて、アナログの音声信号を生成し、生成した音声信号をコーデック部１０５に供給する。
【００２２】
記憶部１０８は、メモリなどから構成され、ビデオデータ記憶部１０８１と、受信不良ＤＢ（データベース）１０８２と、を備えている。
ビデオデータ記憶部１０８１は、制御部１０９の制御下、テレビ放送受信部１０２によって受信されたテレビ放送のビデオデータを記憶する。
受信不良ＤＢ１０８２は、図３に示すように、テレビ番組を受信するチャンネルを示すチャンネル情報と、テレビ番組の受信不良が開始した日時（タイミング）を示す受信不良開始日時と、テレビ番組の受信不良が終了した日時（タイミング）を示す受信不良終了日時と、を対応付けて記憶する。本実施形態では、チャンネル情報に物理チャンネル番号を含めている。
【００２３】
図２に示す制御部１０９は、ＣＰＵ（Central Processing Unit）、メモリ、ＲＴＣ（Real Time Clock）、タイマなどから構成され、メモリに記憶された所定のプログラムをＣＰＵが実行することにより、テレビ番組の受信状態が悪くなったときに、受信していたテレビ番組のビデオデータをデータサーバ４０から取得して記録したテレビ番組のビデオデータを補完する。制御部１０９の機能と制御の詳細については後述する。
【００２４】
ＧＰＳ受信機１１０は、制御部１０９の要求に応答して、ＧＰＳ（Global Positioning System）から自位置を示す位置情報を取得し、取得した位置情報を制御部１０９に提供する。
【００２５】
図１に示す放送局２０は、テレビ番組を放送する。
【００２６】
基地局３０は、携帯電話１０と他の携帯電話１０との通信を中継する他、携帯電話１０とデータサーバ４０との通信を中継する。
【００２７】
データサーバ４０は、携帯電話１０の要求に応答してテレビ番組のビデオデータを提供するコンピュータであり、図４に示すように、通信部４０１と、操作部４０２と、表示部４０３と、記憶部４０４と、制御部４０５と、を備えている。
【００２８】
通信部４０１は、Ｅｔｈｅｒｎｅｔ（登録商標）等の通信規格に応じた通信インタフェースなどから構成され、通信ネットワーク４０及び基地局３０を介して、携帯電話１０と通信する。
【００２９】
操作部４０２は、キーボード、マウスなどから構成され、ユーザの操作に応じた操作信号を制御部４０５に供給する。
【００３０】
表示部４０３は、ＬＣＤ（Liquid Crystal Display）などから構成され、制御部４０５の制御下、様々な画像を表示する。
【００３１】
記憶部４０４は、磁気ディスクなどから構成され、ビデオデータ記憶部４０４１と、番組ＤＢ４０４２と、視聴地域ＤＢ４０４３と、を備えている。
本実施形態では、ビデオデータ記憶部４０４１は、放送局２０から放送されるテレビ番組と同一のテレビ番組のビデオデータを予め記憶している。
【００３２】
番組ＤＢ４０４２は、図５（ａ）に示すように、テレビ番組のビデオデータに付されたデータＩＤと、このテレビ番組を受信するチャンネルを示すチャンネル情報と、このテレビ番組が開始する日時（タイミング）を示す番組開始日時と、このテレビ番組が終了する日時を示す番組終了日時と、を対応付けて記憶している。本実施形態の番組ＤＢ４０４２では、チャンネル情報に物理チャンネル番号を含めている。
視聴地域ＤＢ４０４３は、図５（ｂ）に示すように、チャンネル情報と、チャンネル情報に含まれる物理チャンネル番号によって特定される放送局２０から放送されるテレビ番組を視聴することができる地域を示す視聴地域情報と、を対応付けて記憶している。本実施形態の視聴地域ＤＢ４０４３では、視聴地域情報に、視聴地域の緯度Ｘ及び経度Ｙの範囲を含めている。
【００３３】
図４に示す制御部４０５は、ＣＰＵ、メモリなどから構成され、メモリに記憶された所定のプログラムを実行することにより、携帯電話１０の要求に応答してテレビ番組のビデオデータを提供する。
【００３４】
図１に示す通信ネットワーク５０は、基地局３０とデータサーバ４０とを有線又は無線で接続する通信媒体である。
【００３５】
次に、上記構成を有する放送記録システム１００の動作を携帯電話１０の動作を中心に説明する。
【００３６】
携帯電話１０は、通話機能の他、放送局２０から放送されたテレビ番組を受信して記録するという一般的な機能を有する。また、携帯電話１０は、テレビ番組の受信状態が悪くなったときに、受信していたテレビ番組のビデオデータをデータサーバ４０から取得して記録したテレビ番組のビデオデータを補完するという特徴的な機能を有する。
以下、携帯電話１０がテレビ番組を受信して記録し、記録したテレビ番組のビデオデータを補完する場合を例にして携帯電話１０の特徴的な動作を説明する。
【００３７】
ユーザは、テレビ番組の受信を開始したい場合、操作部１０３を操作してその旨を指示する。制御部１０９は、ユーザからの受信開始指示に応答して、ユーザによって指定されたチャンネルでテレビ番組を受信し、表示部１０４に表示することを開始する。
具体的には、制御部１０９は、受信開始指示に応答して、ユーザによって指定されたチャンネルでテレビ番組の受信を開始する旨の受信開始指示信号をテレビ放送受信部１０２に供給する。テレビ放送受信部１０２は、制御部１０９から供給された受信開始指示信号に応答して、ユーザによって指定されたチャンネルでテレビ番組の受信を開始し、受信したテレビ番組のビデオデータを制御部１０９に供給する。制御部１０９は、テレビ放送受信部１０２から供給されたビデオデータに基づいて、受信したテレビ番組を表示部１０４に表示することを開始する。
このようにして、携帯電話１０は、テレビ番組を受信して表示することを開始する。
【００３８】
ユーザは、受信したテレビ番組の記録を開始したい場合、テレビ番組が表示部１０４に表示されているときに、操作部１０３を操作してその旨を指示する。制御部１０９は、ユーザからの記録指示に応答して、テレビ放送受信部１０２から供給されたビデオデータを所定の圧縮方式でエンコードしてビデオデータ記憶部１０８１に記録することを開始する。このとき、制御部１０９は、メモリに割り当てられた変数ＲｅｃＦｌｇに１を格納する。本実施形態では、ＲｅｃＦｌｇ＝１はテレビ番組の記録が開始したことを意味し、ＲｅｃＦｌｇ＝０はテレビ番組の記録が終了したことを意味する。
【００３９】
続いて、制御部１０９は、テレビ番組の記録を開始したことを契機として、図６及び７に示す補完処理を開始し、まず、テレビ放送の電波強度（受信電界レベル）が所定の閾値ＴＤ以下であるか否か、即ち、テレビ放送の受信が不良であるか否かを判別する（ステップＳ１１）。
具体的には、制御部１０９は、テレビ放送の電波強度の通知要求をテレビ放送受信部１０２に送信する。テレビ放送受信部１０２は、制御部１０９からの通知要求に応答して、受信しているテレビ放送の電波強度を測定し、測定値を制御部１０９に通知する。制御部１０９は、テレビ放送受信部１０２から通知されたテレビ放送の電波強度が所定の閾値ＴＤ以下であるか否かを判別する。制御部１０９は、電波強度が閾値ＴＤ以下である場合、テレビ放送の受信が不良であると判別し、電波強度が閾値ＴＤを超える場合、テレビ放送の受信が良好であると判別する。
【００４０】
制御部１０９は、テレビ放送の受信が不良であると判別した場合（ステップＳ１１；Ｙｅｓ）、受信しているテレビ放送の物理チャンネル番号をテレビ放送受信部１０２から取得し、取得した物理チャンネル番号をメモリに割り当てられた変数ＣＮに格納する（ステップＳ１２）。
具体的には、制御部１０９は、物理チャンネル番号の通知要求をテレビ放送受信部１０２に送信する。テレビ放送受信部１０２は、制御部１０９からの通知要求に応答して、受信しているテレビ放送の物理チャンネル番号をメモリから読み出して制御部１０９に供給する。制御部１０９は、テレビ放送受信部１０２から供給された物理チャンネル番号を変数ＣＮに格納する。
【００４１】
制御部１０９は、ＲＴＣから現在日時を取得し、取得した現在日時（受信不良開始日時）をメモリに割り当てられた変数Ｔ１に格納する（ステップＳ１３）。制御部１０９は、テレビ放送の受信が良好になった又はテレビ番組の記録が終了したか否かを判別する（ステップＳ１４）。
本実施形態では、制御部１０９は、テレビ放送受信部１０２からテレビ放送の電波強度を取得し、取得した電波強度が閾値ＴＤを超える場合、テレビ放送の受信が良好になったと判別する。また、制御部１０９は、操作部１０３を介してユーザからテレビ番組の記録を終了する旨の指示があった場合、テレビ番組の記録が終了したと判別する。このとき、制御部１０９は、メモリに割り当てられた変数ＲｅｃＦｌｇに０を格納する。なお、前述したように、ＲｅｃＦｌｇ＝０はテレビ番組の記録が終了したことを意味する。
【００４２】
制御部１０９は、テレビ放送の受信が不良であり、且つ、テレビ番組の記録が終了していないと判別した場合（ステップＳ１４；Ｎｏ）、ステップＳ１４を繰り返す。
一方、テレビ放送の受信が良好になった又はテレビ番組の記録が終了したと判別した場合（ステップＳ１４；Ｙｅｓ）、制御部１０９は、ＲＴＣから現在日時を取得し、取得した現在日時（受信不良終了日時）をメモリに割り当てられた変数Ｔ２に格納する（ステップＳ１５）。
制御部１０９は、変数Ｔ２に格納した受信不良終了日時と変数Ｔ１に格納した受信不良開始日時との差分、即ち、テレビ放送の受信が不良であった期間を示す受信不良期間を算出し、受信不良期間が３秒以上であるか否かを判別する（ステップＳ１６）。
【００４３】
制御部１０９は、受信不良期間が３秒以上であると判別した場合（ステップＳ１６；Ｙｅｓ）、変数ＣＮに格納した物理チャンネル番号を含むチャンネル情報と変数Ｔ１に格納した受信不良開始日時と変数Ｔ２に格納した受信不良終了日時とを対応付けて受信不良ＤＢ１０８２に記憶する（ステップＳ１７）。制御部１０９は、現在の自位置を示す現在位置情報をＧＰＳ受信機１１０から取得する（ステップＳ１８）。
【００４４】
制御部１０９は、テレビ番組のビデオデータを補完するための補完データの取得要求をデータサーバ４０に送信する（ステップＳ１９）。本実施形態では、ステップＳ１８で取得した現在位置情報とステップＳ１７で受信不良ＤＢ１０８２に記憶したチャンネル情報と受信不良開始日時と受信不良終了日時とを補完データの取得要求に含めている。
【００４５】
データサーバ４０の制御部４０５は、補完データの取得要求に応答して、図８に示す補完データ提供処理を開始し、まず、取得要求に含まれるチャンネル情報に対応する視聴地域情報を視聴地域ＤＢ４０４３から取得する（ステップＳ３１）。制御部４０５は、取得要求に含まれる現在位置情報によって特定される現在位置がステップＳ３１で取得した視聴地域情報によって特定される視聴地域に属するか否かを判別する（ステップＳ３２）。
具体的には、制御部４０５は、現在位置情報によって特定される現在位置の緯度及び経度が視聴地域情報によって特定される地域の緯度及び経度の範囲内にあるときに、現在位置が視聴地域に属すると判別する。
【００４６】
制御部４０５は、現在位置が視聴地域に属すると判別した場合（ステップＳ３２；Ｙｅｓ）、補完データを生成する（ステップＳ３３）。
具体的には、制御部４０５は、取得要求に含まれるチャンネル情報、受信不良開始日時及び受信不良終了日時に基づいて、受信不良となったテレビ番組のデータＩＤを番組ＤＢ４０４２から特定する。制御部４０５は、特定したデータＩＤが付されたテレビ番組のビデオデータをビデオデータ記憶部４０４１から取得する。制御部４０５は、取得したテレビ番組のビデオデータから受信不良期間の部分のビデオデータを抽出することにより、補完データを生成する。
【００４７】
制御部４０５は、ステップＳ３３で生成した補完データを取得要求のあった携帯電話１０に送信し（ステップＳ３４）、ビデオデータ提供処理を終了する。
【００４８】
一方、前述したステップＳ３２で現在位置が視聴地域に属さないと判別した場合（ステップＳ３２；Ｎｏ）、制御部４０５は、視聴地域外である旨の通知を携帯電話１０に送信し（ステップＳ３５）、ビデオデータ提供処理を終了する。
このようにして、データサーバ４０は、携帯電話１０の現在位置が取得要求のあったテレビ番組の視聴地域に属する場合、このテレビ番組の受信不良期間の部分のビデオデータ（補完データ）を携帯電話１０に提供し、携帯電話１０の現在位置が取得要求のあったテレビ番組の視聴地域に属さない場合、補完データを提供しない。
【００４９】
図７に戻り、携帯電話１０の制御部１０９は、データサーバ４０から補完データを取得したか否かを判別する（ステップＳ２０）。制御部１０９は、補完データを取得したと判別した場合（ステップＳ２０；Ｙｅｓ）、記録中のビデオデータのうち、受信不良ＤＢ１０８２に記憶した受信不良開始日時を始期とし受信不良終了日時を終期とする受信不良期間に相当する部分のビデオデータをデータサーバ４０から取得した補完データに置き換えることにより、テレビ番組のビデオデータを補完する（ステップＳ２１）。ビデオデータの補完後、制御部１０９は、受信不良ＤＢ１０８２のレコードを削除する。
【００５０】
一方、制御部１０９は、前述したステップＳ１１でテレビ放送の受信が良好であると判別した場合（ステップＳ１１；Ｎｏ）、前述したステップＳ１６で受信不良期間が３秒未満であると判別した場合（ステップＳ１６；Ｎｏ）、ステップＳ２２に処理を進める。
【００５１】
次に、制御部１０９は、ＲｅｃＦｌｇ＝０であるか否か、即ち、テレビ番組の記録が終了したか否かを判別する（ステップＳ２２）。制御部１０９は、テレビ番組の記録が終了していないと判別した場合（ステップＳ２２；Ｎｏ）、ステップＳ１１に処理を戻す。
一方、テレビ番組の記録が終了したと判別した場合（ステップＳ２２；Ｙｅｓ）、制御部１０９は、補完処理を終了する。
このようにして、携帯電話１０は、テレビ番組の受信状態が継続して３秒以上不良となったときに、受信していたテレビ番組の補完データをデータサーバ４０から取得して記録したテレビ番組のビデオデータを補完する。
【００５２】
なお、テレビ番組の記録が終了した後、テレビ番組の受信を終了したい場合、ユーザは操作部１０３を操作してその旨を指示する。制御部１０９は、ユーザからの受信終了指示に応答して、テレビ番組を受信し、表示部１０４に表示することを終了する。
具体的には、制御部１０９は、受信終了指示に応答して、テレビ番組の受信を終了する旨の受信終了指示信号をテレビ放送受信部１０２に供給する。テレビ放送受信部１０２は、制御部１０９から供給された受信終了指示信号に応答して、テレビ番組の受信を終了する。続いて、制御部１０９は、予め設定された初期画面を表示部１０４に表示する。
このようにして、携帯電話１０は、テレビ番組を受信して表示することを終了する。
【００５３】
以上の動作を、図６乃至９を参照して具体的に説明する。
例えば、図９に示すように、タイミングｔ０（＝2011/01/10 19:00:00）で物理チャンネル番号＝２５のテレビ番組の記録を開始し、タイミングｔ５（＝2011/01/10 20:00:00）でこのテレビ番組の記録を終了したとする。この際、タイミングｔ１（＝2011/01/10 19:20:15）からｔ２（＝2011/01/10 19:20:17）までの期間、及びタイミングｔ３（＝2011/01/10 19:40:35）からｔ４（＝2011/01/10 19:40:40）までの期間において、電波強度が閾値ＴＤ以下であり、テレビ放送の受信が不良であったとする。
なお、理解を容易にするため、タイミングｔ０からｔ５までの期間において、携帯電話１０の位置は物理チャンネル番号＝２５のテレビ番組の視聴地域に属しているものとする。
【００５４】
この場合、図９のタイミングｔ１で受信不良となるため、図６のステップＳ１１でＹｅｓとなり、ＣＮ＝２５（ステップＳ１２）、Ｔ１＝ｔ１（ステップＳ１３）となる。続いて、タイミングｔ２で受信良好となるため、ステップＳ１４でＹｅｓとなり、Ｔ２＝ｔ２となる。Ｔ２−Ｔ１＝ｔ２−ｔ１＝２秒≦３秒であるため、ステップＳ１６でＮｏとなり、記録終了となっていないため、ステップＳ２２でＮｏとなる。
【００５５】
続いて、図９のタイミングｔ３で受信不良となるため、図６のステップＳ１１でＹｅｓとなり、ＣＮ＝２５（ステップＳ１２）、Ｔ１＝ｔ３（ステップＳ１３）となる。続いて、タイミングｔ４で受信良好となるため、ステップＳ１４でＹｅｓとなり、Ｔ２＝ｔ４となる。Ｔ２−Ｔ１＝ｔ４−ｔ３＝５秒＞３秒であるため、ステップＳ１６でＹｅｓとなる。その後、ステップＳ１９で補完データの取得要求をデータサーバ４０に送信する。
【００５６】
携帯電話１０の現在位置は物理チャンネル番号＝２５のテレビ番組の視聴地域に属しているため、図８のステップ３２でＹｅｓとなり、データサーバ４０は補完データを携帯電話１０に送信する（ステップＳ３４）。
【００５７】
携帯電話１０は、データサーバ４０から補完データを取得するため、図７のステップＳ２０でＹｅｓとなり、制御部１０９は、取得した補完データに基づいて、記録しているテレビ番組のビデオデータを補完する（ステップＳ２１）。その後、タイミングｔ５でテレビ番組の記録を終了するため、ステップＳ２２でＹｅｓとなり、制御部１０９は補完処理を終了する。
【００５８】
以上、説明したように、携帯電話１０は、テレビ番組の受信状態が継続して３秒以上不良となったときに、受信していたテレビ番組の補完データをデータサーバ４０から取得して記録したテレビ番組のビデオデータを補完する。携帯電話１０は、必要十分な補完データのみを取得してテレビ番組のビデオデータを補完するため、携帯電話１０の無線通信のトラフィック（データ通信量）を最小限にし、回線の輻輳を低減することができる。
【００５９】
データサーバ４０は、携帯電話１０の現在位置が取得要求のあったテレビ番組の視聴地域に属する場合、このテレビ番組の補完データを携帯電話１０に提供し、携帯電話１０の現在位置が取得要求のあったテレビ番組の視聴地域に属さない場合、補完データを提供しない。このため、携帯電話１０は、テレビ番組を視聴することができる地域でのみ、記録した番組のデータの補完をすることができる。
【００６０】
（実施形態２）
実施形態１では、テレビ番組の受信状態が悪くなったときに、受信していたテレビ番組の補完データを、携帯電話１０がデータサーバ４０から取得して記録したテレビ番組のビデオデータを補完するが、携帯電話１０の指示に応答して、データサーバ４０がこのテレビ番組を受信して記録してもよい。
この場合の放送記録システム１００Ａの構成を図１０に示す。なお、図１と同一部分には同一符号を付す。
【００６１】
携帯電話１０Ａは、実施形態１に係る携帯電話１０を構成する要素の他、記憶部１０８にアドレスＤＢ１０８３を備えている。
アドレスＤＢ１０８３は、図１１に示すように、物理チャンネル番号を含むチャンネル情報と、物理チャンネル番号によって特定される放送局２０から放送されるテレビ番組を視聴することができる地域に配置されたデータサーバ４０のアドレスを示すアドレス情報と、を対応付けて記憶している。
携帯電話１０Ａは、テレビ番組の記録中、受信状態が悪くなったときに、チャンネル情報に対応するアドレス情報によって特定されるアドレスが割り当てられたデータサーバ４０にテレビ番組を受信して記録する旨を指示する。
【００６２】
データサーバ４０Ａは、実施形態１に係るデータサーバ４０を構成する要素の他、テレビ放送受信部４０６を備えている。
テレビ放送受信部４０６は、テレビチューナー、メモリなどから構成され、放送局２０から放送された信号をアンテナ４０６ａを介して受信し、受信した信号を復調、デコードして生成したテレビ番組のビデオデータを制御部４０５に供給する。このとき、テレビ放送受信部４０６は、受信しているテレビ放送の物理チャンネル番号をメモリに記憶し、制御部４０５の要求に応答して、メモリに記憶した物理チャンネル番号を制御部４０５に供給する。データサーバ４０Ａは、放送局３０（３０１、３０２、・・・、３０ｎ）によって放送されるテレビ番組を視聴することができる地域内にそれぞれ配置されている。
【００６３】
以下、携帯電話１０Ａが、テレビ番組を記録中、受信状態が悪くなったときに、このテレビ番組を受信して記録する旨の指示をデータサーバ４０Ａに送信する動作と、データサーバ４０Ａが、携帯電話１０Ａの指示に応答して、テレビ番組を受信して記録する動作を中心に説明する。なお、理解を容易にするため、制御部１０９が、テレビ番組の記録を開始したことを契機として、前述した補完処理を開始した場合を例にして説明する。
【００６４】
携帯電話１０Ａの制御部１０９は、図６のステップＳ１１でテレビ放送の受信が不良であると判別したことを契機として、図１２に示す記録要求処理を開始し、まず、タイマをリセットし、経過時間の測定を開始する（ステップＳ４１）。
制御部１０９は、テレビ放送の受信が良好になった又はテレビ番組の記録が終了したか否かを判別する（ステップＳ４２）。
【００６５】
制御部１０９は、テレビ放送の受信が不良であり、且つ、テレビ番組の記録が終了していないと判別した場合（ステップＳ４２；Ｎｏ）、経過時間が３０秒以上であるか否かを判別する（ステップＳ４３）。制御部１０９は、経過時間が３０秒未満であると判別した場合（ステップＳ４３；Ｎｏ）、ステップＳ４２に処理を戻す。
一方、制御部１０９は、経過時間が３０秒以上であると判別した場合（ステップＳ４３；Ｙｅｓ）、受信不良となったテレビ番組を受信して記録することを開始する旨の記録開始要求をデータサーバ４０Ａに送信する（ステップＳ４４）。
具体的には、制御部１０９は、前述した変数ＣＮに格納した物理チャンネル番号を含むチャンネル情報に対応するアドレス情報をアドレスＤＢ１０８３から取得する。制御部１０９は、取得したアドレス情報によって特定されるアドレスが割り当てられたデータサーバ４０Ａに記録開始要求を送信する。本実施形態では、記録開始要求に変数ＣＮに格納した物理チャンネル番号を含めている。
【００６６】
データサーバ４０Ａの制御部４０５は、記録開始要求に応答して、記録開始要求に含まれる物理チャンネル番号でテレビ番組を受信して記録することを開始する（ステップＳ５１）。
具体的には、制御部４０５は、記録開始要求に応答して、取得要求に含まれる物理チャンネル番号でテレビ番組の受信を開始する旨の受信開始指示信号をテレビ放送受信部４０６に供給する。テレビ放送受信部４０６は、制御部４０５から供給された受信開始指示信号に応答して、取得要求に含まれる物理チャンネル番号でテレビ番組の受信を開始し、受信したテレビ番組のビデオデータを制御部４０５に供給する。制御部４０５は、テレビ放送受信部４０６から供給されたビデオデータを所定の圧縮方式でエンコードしてビデオデータ記憶部４０４１に記録することを開始する。制御部４０５は、テレビ番組の記録を開始した旨を携帯電話１０Ａに通知する。
【００６７】
携帯電話１０Ａの制御部１０９は、テレビ番組の記録を開始した旨の通知に応答して、テレビ番組の記録が終了したか否かを判別する（ステップＳ４５）。
具体的には、前述したように、制御部１０９は、ＲｅｃＦｌｇ＝０であるときに、テレビ番組の記録が終了したと判別し、ＲｅｃＦｌｇ＝１であるときに、テレビ番組の記録が終了していないと判別する。
【００６８】
制御部１０９は、テレビ番組の記録が終了していないと判別した場合（ステップＳ４５；Ｎｏ）、ステップＳ４５を繰り返す。
一方、制御部１０９は、テレビ番組の記録が終了したと判別した場合（ステップＳ４５；Ｙｅｓ）、テレビ番組を受信して記録することを終了する旨の記録終了要求をデータサーバ４０Ａに送信する（ステップＳ４６）。
【００６９】
データサーバ４０Ａの制御部４０５は、記録終了要求に応答して、テレビ番組を受信して記録することを終了する（ステップＳ５２）。
具体的には、制御部４０５は、記録終了要求に応答して、テレビ番組の受信を終了する旨の受信終了指示信号をテレビ放送受信部４０６に供給する。テレビ放送受信部４０６は、制御部４０５から供給された受信終了指示信号に応答して、テレビ番組の受信を終了する。また、制御部４０５は、テレビ番組のビデオデータをビデオデータ記憶部４０４１に記録することを終了する。制御部４０５は、テレビ番組の記録を終了した旨を携帯電話１０Ａに通知する。
【００７０】
携帯電話１０Ａの制御部１０９は、テレビ番組の記録を終了した旨の通知に応答して、記録要求処理を終了する。
【００７１】
以上、説明したように、携帯電話１０Ａは、テレビ番組の受信状態が継続して３０秒以上不良となったときに、受信不良となったテレビ番組を受信して記録することを開始する旨の記録開始要求をデータサーバ４０Ａに送信する。
データサーバ４０Ａは、携帯電話１０Ａの指示に応答して、携帯電話１０Ａで受信不良となったテレビ番組を受信して記録する。
これによると、例えば、携帯電話１０Ａは、ユーザの指示に応答して、受信不良となったテレビ番組のビデオデータをデータサーバ４０Ａから取得して再生することができる。
【００７２】
この発明は上記の実施形態に限定されず、種々の変形及び応用が可能である。例えば、上記説明において示したハードウェアの構成及び動作は一例でありこれらに限定されるものではなく、適宜変更及び応用が可能である。
【００７３】
上記実施形態１では、携帯電話１０は、テレビ番組の受信状態が継続して３秒以上不良となったときに、その都度、補完データをデータサーバ４０から取得してビデオデータを補完しているが、受信不良期間の補完データを一括してデータサーバ４０から取得してビデオデータを補完してもよい。
この場合、携帯電話１０は、テレビ番組の受信状態が継続して３秒以上となったときに、チャンネル情報と、受信不良開始日時と、受信不良終了日時と、を対応付けて追加的に受信不良ＤＢ１０８２に記憶し、テレビ番組の記録が終了したときに、補完データの取得要求をデータサーバ４０に送信する。このとき、補完データの取得要求に、受信不良ＤＢ１０８２の全レコードを含めればよい。
【００７４】
上記実施形態１では、データサーバ４０の制御部４０５は、現在位置情報によって特定される現在位置が視聴地域情報によって特定される視聴地域の緯度及び経度の範囲に属するときに、携帯電話１０の現在位置が視聴地域に属すると判別しているが、視聴地域に属するか否かの判別方法はこれに限定されず、例えば、携帯電話１０の現在位置とテレビ番組を放送する放送局２０の位置との距離が所定の閾値以内であるときに、携帯電話１０の現在位置が視聴地域に属すると判別してもよい。
この場合、視聴地域情報に放送局２０の位置を示す放送局位置情報を含め、現在位置情報によって特定される現在位置と視聴地域情報に含まれる放送局位置情報によって特定される放送局２０の位置との距離が所定の閾値Ｌ以内であるときに、携帯電話１０の現在位置が視聴地域に属すると判別すればよい。
【００７５】
上記実施形態１では、データサーバ４０が、携帯端末１０の現在位置が視聴地域に属するか否かを判別しているが、携帯電話１０がこれを判別してもよい。
この場合、携帯電話１０は、記憶部１０８に視聴地域ＤＢ４０４３を備え、携帯端末１０の現在位置が視聴地域に属する場合のみ、補完データをデータサーバ４０から取得してテレビ番組のビデオデータの補完をすればよい。
【００７６】
上記実施形態１では、携帯電話１０は、テレビ番組の受信状態が継続して３秒以上不良となったときに、記録したテレビ番組のビデオデータを補完しているが、このときの閾値は３秒に限定されず、任意である。
また、携帯電話１０は、受信不良期間が所定の閾値ＴＴ（例えば、６０秒）以上のときに、記録したテレビ番組のビデオデータを補完しないようにしてもよい。
【００７７】
上記実施形態２では、携帯電話１０は、テレビ番組の受信状態が継続して３０秒以上不良となったときに、受信不良となったテレビ番組を受信して記録することを開始する旨の記録開始要求をデータサーバ４０に送信しているが、このときの閾値は３０秒に限定されず、任意である。
【００７８】
上記実施形態では、テレビ放送（携帯電話・移動体端末向けの１セグメント部分受信サービスによって提供される地上デジタル放送）を受信して記録する場合を一例として説明したが、携帯電話１０又はデータサーバ４０は、ラジオ放送などを受信して記録してもよい。
【００７９】
なお、本発明の携帯端末は、専用の装置を用いる必要はなく、通常のコンピュータにより実現することができる。例えばコンピュータに上記した各処理を実行させるためのプログラム及びデータを記録媒体（ＣＤ−ＲＯＭ等）に記録して配布し、これをインストールしてＯＳ（Operating System）上で実行することにより、本発明の携帯端末を実現できる。また、プログラム及びデータの配布は、ＣＤ−ＲＯＭ等に限らず、通信回線等を介して行われてもよい。
【００８０】
上記の実施形態の一部又は全部は、以下の付記のようにも記載されうるが、以下には限られない。
【００８１】
（付記１）データを記憶するデータ記憶部と、
放送された番組のデータを受信する受信部と、
前記受信した番組のデータを前記データ記憶部に記録する記録部と、
自位置を示す位置情報を取得する位置情報取得部と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完部と、
を備えることを特徴とする携帯端末。
【００８２】
（付記２）前記補完部は、
前記放送された番組のデータを受信する際の電波強度が第１の閾値以下となった場合、前記電波強度が第１の閾値以下となった期間の前記番組のデータを前記サーバから取得して前記記録した前記番組のデータを補完する、
ことを特徴とする付記１に記載の携帯端末。
【００８３】
（付記３）前記補完部は、
前記放送された番組のデータを受信する際の電波強度が第１の閾値以下となった期間が第２の閾値以上の場合、前記電波強度が第１の閾値以下となった期間の前記番組のデータを前記サーバから取得して前記記録した前記番組のデータを補完する、
ことを特徴とする付記１に記載の携帯端末。
【００８４】
（付記４）前記放送された番組のデータを受信する際の電波強度が第１の閾値以下となった場合、前記放送された番組のデータを受信して記録する旨を前記サーバに指示する指示部、
を備えることを特徴とする付記１乃至３のいずれかに記載の携帯端末。
【００８５】
（付記５）前記指示部は、
前記放送された番組のデータを受信する際の電波強度が第１の閾値以下となった期間が第３の閾値以上の場合、前記放送された番組のデータを受信して記録する旨を前記サーバに指示する、
ことを特徴とする付記４に記載の携帯端末。
【００８６】
（付記６）前記番組を視聴することができる地域を示す視聴地域情報を記憶する視聴地域情報記憶部、をさらに備え、
前記補完部は、
前記取得した位置情報によって特定される位置が前記視聴地域情報によって特定される地域に属する場合、前記番組のデータを前記サーバから取得して前記記録した前記番組のデータを補完し、前記取得した位置情報によって特定される位置が前記視聴地域情報によって特定される地域に属さない場合、前記記録した前記番組のデータを補完しない、
ことを特徴とする付記１乃至５のいずれかに記載の携帯端末。
【００８７】
（付記７）前記番組を放送する放送局の位置を示す放送局位置情報を記憶する放送局位置情報記憶部、をさらに備え、
前記補完部は、
前記取得した位置情報によって特定される位置と前記放送局位置情報によって特定される放送局の位置との距離が第４の閾値以内である場合、前記番組のデータを前記サーバから取得して前記記録した前記番組のデータを補完し、前記取得した位置情報によって特定される位置と前記放送局位置情報によって特定される放送局の位置との距離が第４の閾値を超える場合、前記記録した前記番組のデータを補完しない、
ことを特徴とする付記１乃至５のいずれかに記載の携帯端末。
【００８８】
（付記８）前記受信部は、
テレビ放送の番組のデータを受信する、
ことを特徴とする付記１乃至７のいずれかに記載の携帯端末。
【００８９】
（付記９）前記受信部は、
携帯電話・移動体端末向けの１セグメント部分受信サービスによって提供される地上デジタル放送の番組のデータを受信する、
ことを特徴とする付記１乃至８のいずれかに記載の携帯端末。
【００９０】
（付記１０）放送された番組のデータを受信する受信工程と、
前記受信した番組のデータをデータ記憶部に記録する記録工程と、
自位置を示す位置情報を取得する位置情報取得工程と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完工程と、
を備えることを特徴とする放送記録方法。
【００９１】
（付記１１）コンピュータに、
放送された番組のデータを受信する受信手順と、
前記受信した番組のデータをデータ記憶部に記録する記録手順と、
自位置を示す位置情報を取得する位置情報取得手順と、
前記取得した位置情報によって特定される位置が前記番組を視聴することができる地域に属する場合、前記番組のデータをサーバから取得して前記記録した前記番組のデータを補完し、前記取得した位置情報によって特定される位置が前記番組を視聴することができる地域に属さない場合、前記記録した前記番組のデータを補完しない補完手順と、
を実行させることを特徴とするプログラム。
【００９２】
（付記１２）番組のデータを記憶するデータ記憶部と、
携帯端末の位置を示す位置情報と、前記番組のデータを識別する識別情報と、を取得する情報取得部と、
前記取得した位置情報によって特定される位置が前記番組を視聴することができる地域に属するか否かを判別する判別部と、
前記取得した位置情報によって特定される位置が前記番組を視聴することができる地域に属すると判別された場合、前記取得した識別情報が付された前記番組のデータを前記データ記憶部から取得して前記携帯端末に送信し、前記取得した位置情報によって特定される位置が前記番組を視聴することができる地域に属さないと判別された場合、前記取得した識別情報が付された前記番組のデータを前記携帯端末に送信しない送信部と、
を備えることを特徴とするデータサーバ。
【００９３】
（付記１３）前記判別部は、
前記番組を視聴することができる地域を示す視聴地域情報を記憶する視聴地域情報記憶部と、
前記取得した位置情報によって特定される位置が前記視聴地域情報によって特定される地域に属する場合、前記取得した位置情報によって特定される位置が前記番組を視聴することができる地域に属すると判別し、前記取得した位置情報によって特定される位置が前記視聴地域情報によって特定される地域に属さない場合、前記取得した位置情報によって特定される位置が前記番組を視聴することができる地域に属さないと判別する位置判別部と、
を備えることを特徴とする付記１２に記載のデータサーバ。
【００９４】
（付記１４）前記判別部は、
前記番組を放送する放送局の位置を示す放送局位置情報を記憶する放送局位置情報記憶部と、
前記取得した位置情報によって特定される位置と前記放送局位置情報によって特定される放送局の位置との距離が第４の閾値以内である場合、前記取得した位置情報によって特定される位置が前記番組を視聴することができる地域に属すると判別し、前記取得した位置情報によって特定される位置と前記放送局位置情報によって特定される位置との距離が第４の閾値を超える場合、前記取得した位置情報によって特定される位置が前記番組を視聴することができる地域に属さないと判別する位置判別部と、
を備えることを特徴とする付記１２に記載のデータサーバ。
【００９５】
（付記１５）前記携帯端末からの指示に応答して、放送された前記番組のデータを受信する受信部と、
前記受信した番組のデータを前記データ記憶部に記録する記録部と、
をさらに備えることを特徴とする付記１２乃至１４のいずれかに記載のデータサーバ。
【００９６】
（付記１６）携帯端末の位置を示す位置情報と、番組のデータを識別する識別情報と、を取得する情報取得工程と、
前記取得した位置情報によって特定される位置が前記番組を視聴することができる地域に属するか否かを判別する判別工程と、
前記取得した位置情報によって特定される位置が前記番組を視聴することができる地域に属すると判別された場合、前記取得した識別情報が付された前記番組のデータをデータ記憶部から取得して前記携帯端末に送信し、前記取得した位置情報によって特定される位置が前記番組を視聴することができる地域に属さないと判別された場合、前記取得した識別情報が付された前記番組のデータを前記携帯端末に送信しない送信工程と、
を備えることを特徴とするデータ提供方法。
【００９７】
（付記１７）コンピュータに、
携帯端末の位置を示す位置情報と、番組のデータを識別する識別情報と、を取得する情報取得手順と、
前記取得した位置情報によって特定される位置が前記番組を視聴することができる地域に属するか否かを判別する判別手順と、
前記取得した位置情報によって特定される位置が前記番組を視聴することができる地域に属すると判別された場合、前記取得した識別情報が付された前記番組のデータをデータ記憶部から取得して前記携帯端末に送信し、前記取得した位置情報によって特定される位置が前記番組を視聴することができる地域に属さないと判別された場合、前記取得した識別情報が付された前記番組のデータを前記携帯端末に送信しない送信手順と、
を実行させることを特徴とするプログラム。
【符号の説明】
【００９８】
１０、１０Ａ  携帯電話
２０  放送局
３０  基地局
４０、４０Ａ  データサーバ
５０  通信ネットワーク
１００、１００Ａ  放送記録システム
１０１  無線通信部
１０１ａ  アンテナ
１０２  テレビ放送受信部
１０２ａ  アンテナ
１０３  操作部
１０４  表示部
１０５  コーデック部
１０６  スピーカ
１０７  マイク
１０８  記憶部
１０９  制御部
１１０  ＧＰＳ受信機
４０１  通信部
４０２  操作部
４０３  表示部
４０４  記憶部
４０５  制御部
４０６  テレビ放送受信部
４０６ａ  アンテナ
１０８１  ビデオデータ記憶部
１０８２  受信不良ＤＢ
１０８３  アドレスＤＢ
４０４１  ビデオデータ記憶部
４０４２  番組ＤＢ
４０４３  視聴地域ＤＢ
【図１】
2012205222.tif 000003
【図２】
2012205222.tif 000004
【図３】
2012205222.tif 000005
【図４】
2012205222.tif 000006
【図５】
2012205222.tif 000007
【図６】
2012205222.tif 000008
【図７】
2012205222.tif 000009
【図８】
2012205222.tif 000010
【図９】
2012205222.tif 000011
【図１０】
2012205222.tif 000012
【図１１】
2012205222.tif 000013
【図１２】
2012205222.tif 000014